(57)【要約】【課題】ＯＰＧＷを中継箱に引き下ろす場合等に、鉄塔の腕金上で交差したＯＰＧＷの干渉・接触を回避することができるＯＰＧＷ把持金具を提供する。【解決手段】Ｌ字鋼（４）の外面に沿うＬ字型形状を有し、かつ、両端部にナットを螺合するためのネジ溝が形成された基台（１２）と、該基台の両端部に挿し入れられるフック状の留め金（１４）と、各留め金を締め付けるための２つの第１ナット（１６）と、両端部にボルト孔（Ａ）が形成された第１屈曲板（１８）と、該第１屈曲板を前記第１ナットとの間に挟止する第２ナット（２４）と、ボルト・ナット（Ｂ）によって第１屈曲板に連結される第２屈曲板（２６）と、該第２屈曲板にボルト・ナット（Ｂ’）によって取り付けられる把持部（２８）と、から構成される。【選択図】図２
2007110782.tif 000002
【特許請求の範囲】
【請求項１】
鉄塔上から左右２本のＯＰＧＷ（２）を交差させて引き下ろすために、鉄塔の腕金または塔頂に取り付けられて使用されるＯＰＧＷを把持してガイドするＯＰＧＷ把持金具（１０）であって、
鉄塔の腕金等を構成するＬ字鋼（４）の外面に沿うＬ字型形状を有し、かつ、両端部にナットを螺合するためのネジ溝が形成された基台（１２）と、
Ｌ字鋼の両袖を挟み込むために前記基台の両端部に挿し入れられるフック状の留め金（１４）と、
前記基台の両端部に挿し入れられた各留め金を締め付けるための２つの第１ナット（１６）と、
基部（１８ａ）と屈曲部（１８ｂ）とからなるＬ字板形状を有し、両端部にボルト孔（Ａ）が形成され、かつ、一のボルト孔に前記基台の一端部が挿し入れられる第１屈曲板（１８）と、
該第１屈曲板を前記第１ナットとの間に挟止する第２ナット（２４）と、
基部（２６ａ）と屈曲部（２６ｂ）とからなるＬ字板形状を有し、両端部にボルト孔（Ａ’）が形成され、かつ、一のボルト孔と前記第１屈曲板の他のボルト孔とをボルト・ナット（Ｂ）によって固定することで、第１屈曲板に連結される第２屈曲板（２６）と、
該第２屈曲板の他のボルト孔にボルト・ナット（Ｂ’）によって取り付けられ、ＯＰＧＷを挟み込んで固定する把持部（２８）と、から構成される、ことを特徴とするＯＰＧＷ把持金具。
【請求項２】
前記第１屈曲板（１８）又は前記第２屈曲板（２６）の、基部（１８ａ，２６ａ）又は屈曲部（１８ｂ，２６ｂ）の長手方向長さを長尺化した、ことを特徴とする請求項１に記載のＯＰＧＷ把持金具。
【請求項３】
前記第１屈曲板（１８）又は／及び前記第２屈曲板（２６）のボルト孔（Ａ，Ａ’）を、第１屈曲板又は／及び第２屈曲板の長手方向に長い長穴とした、ことを特徴とする請求項１又は２に記載のＯＰＧＷ把持金具。
【発明の詳細な説明】
【技術分野】
【０００１】
本発明はＯＰＧＷ把持金具に関し、より詳細には、中継箱に光ファイバを中継接続するために、鉄塔上で交差させた左右のＯＰＧＷの接触を回避して引き下ろすためのＯＰＧＷ把持金具（クリート）に関する。
【背景技術】
【０００２】
送電用鉄塔の塔頂付近には送電線への雷の直撃を回避するための避雷針の役割を果たす架空地線が架線されている。近年ではこの架空地線に光通信用の光ファイバを備えた光ファイバ複合架空地線が普及している。光ファイバ複合架空地線には、光ファイバを架空地線の中心部に内蔵する「光ファイバ内蔵型架空地線」と、架空地線の表面に光ファイバを巻付ける「光ファイバ巻付け型架空地線」の２種類があり、一般にこれらは総称してＯＰＧＷ（Ｃｏｍｐｏｓｉｔｅ Ｆｉｂｅｒ−ｏｐｔｉｃ Ｇｒｏｎｄ Ｗｉｒｅ）と呼ばれる。以下、本発明では、光ファイバ内蔵型架空地線をＯＰＧＷと呼ぶこととする。
【０００３】
送電用鉄塔には数本ごとに接続箱が設置されており、この接続箱で左右のＯＰＧＷを中継接続することによって長距離に渡りＯＰＧＷが延長される。
送電用鉄塔の腕金にＯＰＧＷを支持し、これを接続箱まで引き下ろす際の引き回しためのジャンパ装置としては特許文献１の「光ファイバ複合架空地線のジャンパ装置」に記載のものが知られている。
【０００４】
図４にこのジャンパ装置を用いたＯＰＧＷの引き回しの様子を示した。この図はジャンパ装置を斜め上方から見た斜視図であり、符号２はＯＰＧＷ、符号４は鉄塔のＬ字鋼（腕金）を表している。
【０００５】
この発明では、左右のＯＰＧＷ２は、腕金（Ｌ字鋼４）の先端部を挾む左右両側の２点においてそれぞれ引き留め金具７並びに連結金具３を介して腕金に連結されている。また左右のＯＰＧＷ２の各ジャンパ部２ａには１本の金属添え線５が結着して添えられている。この金属添え線５の両端付近とジャンパ部２ａの左右の引き留め金具７の近傍部分とは、クランプ金具６により一体にクランプされて連結されている。
この金属添え線５は長さ方向の中央部が谷でその左右両側が山となる形に湾曲した形状をなし、前記中央部が固定金具９により腕金に電気的接続状態に固定されている。ジャンパ部２ａは、緩やかな２つの山形をなして交差し、腕金上でループ状に引き回されている。左右のＯＰＧＷのジャンパ部２ａは、腕金に取り付けられたＯＰＧＷ把持金具１によりクランプされて鉄塔に固定されることで、下方に設置された図示しない接続箱へと導かれる。
【０００６】
特許文献１のジャンパ装置は、ＯＰＧＷのアルミパイプの疲労破断を回避し、これによりアルミパイプの破断による気密性の損失に起因する光ファイバケーブの伝送損失特性の悪化、破断箇所から浸入した水の凍結による光ファイバの圧迫のための通信障害の発生等を減少させることを目的としている。
【０００７】
図５にＯＰＧＷのジャンパ部２ａを把持してガイドするためのＯＰＧＷ把持金具を示した。
図に示したようにこのＯＰＧＷ把持金具１は、鉄塔の腕金を構成するＬ字鋼４の外面に沿うようなＬ字型形状を有し、かつ、両端部にナットを螺合するためのネジ溝が形成された基台１１２と、Ｌ字鋼の両袖を挟み込むために基台の両端部に挿し入れられたフック状の留め金１１４と、留め金１１４を締め付けるための２つのナット１１６と、ＯＰＧＷを挟み込んで固定するための把持部１２８と、把持部１２８の外側から基台１１２の端部に螺合された他のナット１３２と、から構成されている。
【０００８】
このＯＰＧＷ把持金具１は次のようにして鉄塔腕金のＬ字鋼４に取り付けられＯＰＧＷを把持・ガイドする。
まず留め金１１４およびナット１１６を両端部の先端に取り付けた基台１１２をＬ字鋼４の外側に沿うように被せ、その状態で各ナット１１６を締め付ける。これにより留め金１１４は押し下げられ、各留め金がＬ字鋼４の両袖を挟み込むことで基台１１２はＬ字鋼に固定される。
次にナット１１６を締め付けた基台１１２の一方の端部に、２つの金属片からなる把持部１２８を挿入し、その外側から他のナット１３２を緩く螺合してやる。そして把持部１２８の２つの金属片の間にＯＰＧＷを導き入れた後に、他のナット１３２を締め付けることで、ＯＰＧＷのジャンパ部が把持され、鉄塔の腕金４に固定される。
【特許文献１】特開平７−３３６８５４
【発明の開示】
【発明が解決しようとする課題】
【０００９】
上述した特許文献１に記載の発明によれば、ＯＰＧＷのジャンパ部が完全剛体である鉄塔の腕金に直接固定されることなく、曲げ弾性力を有する金属添え線に連結されているので、鉄塔径間部のＯＰＧＷにギャロッピングやスリートジャンプその他の振動が発生しても、そのジャンパ部に大きな応力が生起することがなく、これらに起因するＯＰＧＷ内部のアルミパイプの疲労破断を回避することができる。
【００１０】
しかしながら上述したジャンパ装置では、ＯＰＧＷを接続箱に引き下ろすために、腕金上で交差させたＯＰＧＷのジャンパ部が、風などの影響によりその交差部分（図４中のαの部分）において干渉・接触し、その繰り返しによってＯＰＧＷの撚り線やアルミパイプに損傷が生じることがあった。
【００１１】
本発明は上記問題を解決するためになされたもので、その目的は、例えば上述したようなジャンパ装置を用いて中継箱にＯＰＧＷを引き下ろす場合等に、鉄塔の腕金上で交差したＯＰＧＷの干渉・接触を回避することができるＯＰＧＷ把持金具（クリート）を提供することにある。
【課題を解決するための手段】
【００１２】
上記問題を解決するために請求項１に記載の発明は、鉄塔上から左右２本のＯＰＧＷ（２）を交差させて引き下ろすために、鉄塔の腕金または塔頂に取り付けられて使用されるＯＰＧＷを把持してガイドするＯＰＧＷ把持金具（１０）であって、鉄塔の腕金等を構成するＬ字鋼（４）の外面に沿うＬ字型形状を有し、かつ、両端部にナットを螺合するためのネジ溝が形成された基台（１２）と、Ｌ字鋼の両袖を挟み込むために前記基台の両端部に挿し入れられるフック状の留め金（１４）と、前記基台の両端部に挿し入れられた各留め金を締め付けるための２つの第１ナット（１６）と、基部（１８ａ）と屈曲部（１８ｂ）とからなるＬ字板形状を有し、両端部にボルト孔（Ａ）が形成され、かつ、一のボルト孔に前記基台の一端部が挿し入れられる第１屈曲板（１８）と、該第１屈曲板を前記第１ナットとの間に挟止する第２ナット（２４）と、基部（２６ａ）と屈曲部（２６ｂ）とからなるＬ字板形状を有し、両端部にボルト孔（Ａ’）が形成され、かつ、一のボルト孔と前記第１屈曲板の他のボルト孔とをボルト・ナット（Ｂ）によって固定することで、第１屈曲板に連結される第２屈曲板（２６）と、該第２屈曲板の他のボルト孔にボルト・ナット（Ｂ’）によって取り付けられ、ＯＰＧＷを挟み込んで固定する把持部（２８）と、から構成される、ことを特徴とする。
【００１３】
また請求項２に記載のように、前記第１屈曲板（１８）又は前記第２屈曲板（２６）の、基部（１８ａ，２６ａ）又は屈曲部（１８ｂ，２６ｂ）の長手方向長さを長尺化する、ことも好ましい。
【００１４】
さらに請求項３に記載のように、前記第１屈曲板（１８）又は／及び前記第２屈曲板（２６）のボルト孔（Ａ，Ａ’）を、第１屈曲板又は／及び第２屈曲板の長手方向に長い長穴とする、ことも好ましい。
【発明の効果】
【００１５】
請求項１に記載のＯＰＧＷ把持金具に発明によれば、第１屈曲板が基台の一端部の軸周りに回転可能であり、また、第２屈曲板が第１屈曲板に対して、第１屈曲板の回転方向と垂直方向に回転可能であるため、ＯＰＧＷ把持金具を用いてＯＰＧＷをガイドする際の角度調節の自由度が向上し、ＯＰＧＷに無理な力をかけることなくこれを接続箱まで引き下ろすことができる。また、このＯＰＧＷ把持金具によって適切な角度でＯＰＧＷをガイドすることにより、鉄塔上で交差させたＯＰＧＷが風などの影響によって接触することを回避することができる。これによりＯＰＧＷの撚り線やアルミパイプに損傷が生じることを予防することが可能となる。
【００１６】
請求項２に記載のＯＰＧＷ把持金具によれば、例えば金属添え線を用いてＯＰＧＷを接続箱まで引き下ろす場合に、左右いずれかのＯＰＧＷを把持するＯＰＧＷ把持金具の第１屈曲板又は第２屈曲板の基部又は屈曲部の長手方向長さを長尺化することにより、腕金上で交差させた左右のＯＰＧＷを一定距離隔てたねじれの位置関係とし、ＯＰＧＷの交差部分における干渉・接触をより効果的に防止することができる。
【００１７】
また請求項３に記載のＯＰＧＷ把持金具によれば、第１屈曲板や第２屈曲板のボルト孔を長穴とすることで、その長穴の任意の位置をボルト・ナットで固定することができる。これによりＯＰＧＷの引き下ろしの際の自由度が向上し、ＯＰＧＷに無理な変形を招くことなくこれを把持して適切にガイドしてやることができる。
【発明を実施するための最良の形態】
【００１８】
本発明のＯＰＧＷ把持金具は、電力事業者が送電用の設備である送電用の高圧鉄塔（送電用鉄塔）の塔頂または腕金に架線するＯＰＧＷを、鉄塔内に設置した接続箱まで引き下ろす際に、これを把持してガイドするために主として用いられるものである。
【００１９】
より具体的には、本発明のＯＰＧＷ把持金具は、既述のように左右のＯＰＧＷを腕金等の先端部を挾む左右両側の２点においてそれぞれ引き留め金具並びに連結金具を介して腕金等に連結し、また左右のＯＰＧＷの各ジャンパ部を１本の金属添え線に結着して添え、この金属添え線の両端付近とジャンパ部の左右の引き留め金具の近傍部分とが、クランプ金具により一体にクランプされるようにして、左右のＯＰＧＷのジャンパ部を、緩やかな２つの山形をなして交差させて、腕金上でループ状に引き回し、下方に設置した接続箱へと導く場合などに用いられる（図４参照）。
以下本発明のＯＰＧＷ把持金具の好ましい実施例を図面を参照して説明する。
【実施例１】
【００２０】
図１は本発明のＯＰＧＷ把持金具の一実施例を示す側面図である。
この図に示したＯＰＧＷ把持金具１０は、鉄塔の腕金のＬ字鋼や塔頂のＬ字鋼に金具を固定するための基台１２と、基台１２の両端部に挿し入れられるフック状の留め金１４と、各留め金１４を締め付けるための２つの第１ナット１６と、基台１２の一端部に挿し入れられるＬ字板状の第１屈曲板１８と、第１屈曲板１８を第１ナット１６との間に挟止して固定する第２ナット２４と、第１屈曲板１８にボルト・ナットＢによって連結されるＬ字板状の第２屈曲板２６と、第２屈曲板２６の先端にボルト・ナットＢ’によって取り付けられる把持部２８と、から構成されている。
【００２１】
基台１２は、頭部に環が形成されたボルト状の第一部材１２ａと、第一部材の頭部の環に挿し嵌められるボルトである第二部材１２ｂとからなり、第一部材１２ａおよび第二部材１２ｂの脚部には、その先端から半分程度までネジ溝が形成されている。この第一部材１２ａおよび第二部材１２ｂを組み合わせることで、鉄塔の腕金等を構成するＬ字鋼の外面に沿うようなＬ字型形状の基台１２が構成される。
なお基台１２を、両端部にネジ溝を形成したＬ字型円柱などとし、その構成を簡素化することも可能である。
【００２２】
基台１２の両端部に挿し入れられる留め金１４は、ナット状に形成された台座に、Ｌ字鋼を挟み込むために内向するフックが一体的に形成された形状を有している。なお台座の内周にはネジ溝は形成されておらず、留め金１４は基台１２を構成する第一部材１２ａおよび第二部材１２ｂの脚部に遊嵌される。
【００２３】
第１ナット１６は、一般的な六角ナットであり、基台１２を構成する第一部材１２ａおよび第二部材１２ｂの脚部の先端から螺合することで、脚部に遊嵌された留め金１４を押し下げ、これにより２つの留め金１４はＬ字鋼を挟み込んで把持する。このようにして基台１２はＬ字鋼にしっかりと固定される。
【００２４】
第１屈曲板１８は、両端部にボルト孔Ａが形成された長さ１６ｃｍ程度、幅４ｃｍ程度、厚さ１ｃｍ程度の細長い金属板をその先端から６ｃｍ程度の位置で９０°折り曲げて、１０ｃｍ程度の基部１８ａと６ｃｍ程度の屈曲部１８ｂを形成することで作成されたＬ字型の金具である。
基部１８ａに形成されたボルト孔Ａは、Ｌ字鋼に固定した基台１２の第二部材１２ｂの脚部先端に挿し入れられる。
【００２５】
第２ナット２４は、第１ナット１６と同様の一般的な六角ナットであり、基台１２の第二部材１２ｂの脚部先端に挿し入れた第１屈曲板１８の外側から螺合され、第１ナット１６との間に第１屈曲板１８を挟止する。
挟止する前の第１屈曲板１８は、第二部材の軸周りに回転可能であるため、これを所望の角度に調節した後に第２ナット２４を締め付けることで、必要に応じて第１屈曲板１８を（水平面内で）任意の角度に固定することができる。
【００２６】
第２屈曲板２６は、両端部にボルト孔Ａ’が形成された長さ４０ｃｍ程度、幅４ｃｍ程度、厚さ１ｃｍ程度の細長い金属板をその先端から６ｃｍ程度の位置で９０°折り曲げて、３４ｃｍ程度の基部２６ａと６ｃｍ程度の屈曲部２６ｂを形成することで作成されたＬ字型形状の金具である。
第２屈曲板２６と第１屈曲板１８とは、その屈曲部同士を当接させ、全体として略Ｓ字型をなすようにして、第１屈曲板１８のボルト孔Ａおよび第２屈曲板２６の屈曲部２６ｂのボルト孔Ａ’を位置合わせしてから、ここにボルト・ナットＢを螺合することによって連結される。
このとき第２屈曲板２６は、ボルトを中心軸として回転可能であるため、これを所望の角度に調節した後にナットを締め付けることで、必要に応じて第２屈曲板２６を（垂直面内で）任意の角度に固定することができる。
【００２７】
把持部２８は、ブロック状の２つの金属片からなり、各金属片にはＯＰＧＷを挟み込むための凹溝と、ボルトを通すための貫通孔が形成されている。把持部２８は２つの金属片を対向させた状態で、その貫通孔に、第２屈曲板２６の基部２６ａ先端のボルト孔Ａ’に通したボルトを通し、そのボルトにナットを緩く螺合する。その後、ＯＰＧＷを２つの金属片の間から凹溝に導き入れ、ボルト・ナットＢ’を強く締め付けることで、ＯＰＧＷが把持部２８に把持されて固定される。
【００２８】
本実施例のＯＰＧＷ把持金具１０は、第１屈曲板１８と第２屈曲板２６の取り付け角度を調節自在としたこと、および、第２屈曲板２６の基部２６ａの長手方向長さを長尺化したことを特徴としている。このＯＰＧＷ把持具は、左右いずれかのＯＰＧＷを鉄塔の腕金や塔頂から引き下ろす場合に使用され、他方のＯＰＧＷの引き下ろしには、従来型の把持金具を使用することができる。
すなわち、本実施例のＯＰＧＷ把持金具１０を使用した場合には、ＯＰＧＷの引き回しが左右非対称となるため、左右のＯＰＧＷを交差させて引き下ろす場合にも、その交差部分での左右のＯＰＧＷを一定の距離を隔てたねじりの位置関係とすることができ、これにより交差させたＯＰＧＷが風などの影響によって、干渉・接触することを防止することができる。
【００２９】
なお上記実施例では第２屈曲板２６の基部２６ａの長さを長尺化したが、実際にはこれに限られず、左右のＯＰＧＷを一定の距離を隔てたねじりの位置関係とすることができるものであれば、第２屈曲板２６の屈曲部２６ｂを長尺化したり、または、第１屈曲板１８の基部１８ａ若しくは屈曲部１８ｂのいずれかを長尺化してやることもできる。
【００３０】
また図２に他の実施例のＯＰＧＷ把持金具の側面図を示した。本実施例のＯＰＧＷ把持金具１０は、第２屈曲板２６の屈曲部２６ｂを長尺化するとともに、ここに形成するボルト孔Ａ’を屈曲部２６ｂの長手方向に長い長穴としたことを特徴としている。
【００３１】
このＯＰＧＷ把持金具１０では、第１屈曲板１８の屈曲部１８ｂと第２屈曲板２６の屈曲部２６ｂとを連結するボルト・ナットＢを緩めると、長穴であるボルト孔Ａ’の範囲内で第２屈曲板２６をスライドさせることができるため、ＯＰＧＷ把持金具１０でＯＰＧＷを把持する際の自由度が向上する。すなわち、第２屈曲板２６の屈曲部２６ｂの端部近傍でボルト・ナットＢによって固定してやれば、前記実施例のＯＰＧＷ把持金具として使用することができる一方、第２屈曲板２６の屈曲部２６ｂの基部２６ａ側でボルト・ナットＢによって固定してやれば、従来のＯＰＧＷ把持金具とほぼ同様に使用してやることもできる。
【００３２】
図３にこのＯＰＧＷ把持金具を用いてＯＰＧＷを把持・ガイドし、鉄塔の腕金から左右のＯＰＧＷを交差させて図示しない中継箱にＯＰＧＷを引き下ろす様子を示した。この図に示したように、左側に伸び、腕金の右側から引き下ろされるＯＰＧＷは、従来のＯＰＧＷ把持金具によって把持・ガイドされる。一方、右側に伸び、腕金の左側から引き下ろされるＯＰＧＷは、本実施例の把持金具により、従来より高い位置において把持・ガイドされる。これにより左右のＯＰＧＷが交差する部分を一定の距離だけ隔てることができる。
なお図３では、本実施例のＯＰＧＷ把持金具を従来の取り付け位置よりも腕金の先端側に取り付けているが、ＯＰＧＷ把持金具の第１屈曲板および第２屈曲板はその取り付け角度を自在に調節することができるので、その取り付け位置や角度を調節することで、交差させた左右のＯＰＧＷが接触しないように確実にＯＰＧＷのガイドをしてやることができる。
【００３３】
以上説明したように、本発明のＯＰＧＷ把持金具によれば、ＯＰＧＷを接続箱に引き下ろすために、腕金上で交差させたＯＰＧＷのジャンパ部が、風などの影響によりその交差部分において干渉・接触し、その繰り返しによってＯＰＧＷの撚り線やアルミパイプに損傷が生じることを効果的に防止することができる。
【００３４】
なお本発明のＯＰＧＷ把持金具の形状等は、発明の趣旨を逸脱しない範囲で適宜変更することができるのは勿論である。
【産業上の利用可能性】
【００３５】
本発明のＯＰＧＷ把持金具はＯＰＧＷを把持し、接続箱まで引き下ろすＯＰＧＷをガイドすることを目的として発案されたものであるが、ＯＰＧＷや他の線状体を把持してガイドする他の場面にも使用することが可能である。
【図面の簡単な説明】
【００３６】
【図１】実施例１のＯＰＧＷ把持金具の側面図である。
【図２】他の実施例のＯＰＧＷ把持金具の側面図である。
【図３】本発明のＯＰＧＷ把持金具を用いてＯＰＧＷを引き下ろす様子を示した斜視図である。
【図４】従来のジャンパ装置を用いたＯＰＧＷの引き回しの様子を示した斜視図である。
【図５】従来のＯＰＧＷ把持金具を示した斜視図である。
【符号の説明】
【００３７】
１  ＯＰＧＷ把持金具
２  ＯＰＧＷ
２ａ  ジャンパ部
３  連結金具
４  Ｌ字鋼
５  金属添え線
６  クランプ金具
７  引き留め金具
９  固定金具
１０  ＯＰＧＷ把持金具
１２  基台
１４  留め金
１６  第１ナット
１８  第１屈曲板
１８ａ  基部
１８ｂ  屈曲部
２４  第２ナット
２６  第２屈曲板
２６ａ  基部
２６ｂ  屈曲部
２８  把持部
１１２  基台
１１４  留め金
１１６  ナット
１２８  把持部
１３２  他のナット
Ａ、Ａ’  ボルト孔
Ｂ、Ｂ’  ボルト・ナット
【図１】
2007110782.tif 000003
【図２】
2007110782.tif 000004
【図３】
2007110782.tif 000005
【図４】
2007110782.tif 000006
【図５】
2007110782.tif 000007